(57)【要約】【課題】  グリース漏れの低減を図り、軸受の信頼性向上を図ると共に、ＣＴスキャナ装置や病院床を汚さず、グリース飛散に起因する撮影機器の不具合を未然に防止することができる転がり軸受用保持器およびＣＴスキャナ用転がり軸受を提供する。【解決手段】  環状体７の一側面に一部が開放されて内部に転動体を保持するポケット８を、環状体７の円周方向複数箇所に有する冠形状の転がり軸受用保持器６であって、軸受両端にシールを備えた転がり軸受に設けられる転がり軸受用保持器において、環状体７が、それぞれポケット８を有する円弧状のセグメント９を複数個連結したものであり、ポケット８の内面に、保持器内径側のポケット開口縁から保持器半径方向つまり保持器外径側へ延びる凹み部１７を設けた。【選択図】      図３
2010091091.tif 000002
【特許請求の範囲】
【請求項１】
環状体の一側面に一部が開放されて内部に転動体を保持するポケットを、上記環状体の円周方向複数箇所に有する冠形状の転がり軸受用保持器であって、内外のいずれか一方の軌道輪の両端にシールが固定される転がり軸受に設けられる転がり軸受用保持器において、
上記環状体が、それぞれ上記ポケットを有する円弧状のセグメントを複数個連結したものであり、
前記シールが固定される軌道輪とは反対側の保持器周面側のポケット開口縁から保持器半径方向へ延びる凹み部を、上記各ポケットの内面に設けたことを特徴とする転がり軸受用保持器。
【請求項２】
請求項１において、上記凹み部が、上記ポケットの開口縁における保持器円周方向の中心から両側に広がって１箇所に設けられた転がり軸受用保持器。
【請求項３】
請求項１において、上記凹み部が、上記ポケットの開口縁における保持器円周方向の中心の両側に位置して複数箇所に設けられた転がり軸受用保持器。
【請求項４】
請求項１ないし請求項３のいずれか１項において、全周のポケットのうちの一部のポケットが凹み部を有し、残り一部のポケットは凹み部を有せず、かつ上記各セグメントは少なくとも一つのポケットに上記凹み部を有する転がり軸受用保持器。
【請求項５】
請求項１ないし請求項４のいずれか１項において、転動体案内形式である転がり軸受用保持器。
【請求項６】
請求項１ないし請求項５のいずれか１項において、上記ポケットの内面における保持器回転方向に対面する側面部分に、保持器半径方向に延びる側部油溜り溝を設けた転がり軸受用保持器。
【請求項７】
請求項１ないし請求項６のいずれか１項において、ポケットの底面に、軸方向に延びる底部油溜まり溝を設けた転がり軸受用保持器。
【請求項８】
請求項１ないし請求項７のいずれか１項において、ポケット間の柱部に、軸方向に延びるスリット状の溝を設けた転がり軸受用保持器。
【請求項９】
請求項１ないし請求項８のいずれか１項において、複列アンギュラ玉軸受に用いられる保持器である転がり軸受用保持器。
【請求項１０】
請求項１ないし請求項８のいずれか１項において、複列または単列の４点接触玉軸受に用いられる保持器である転がり軸受用保持器。
【請求項１１】
請求項１ないし請求項１０のいずれか１項において、上記転がり軸受が、ＣＴスキャナのガントリを支持する軸受である転がり軸受用保持器。
【請求項１２】
請求項１ないし請求項１０のいずれか１項において、上記転がり軸受が、Ｘ線診断装置における、Ｘ線管装置およびＸ線検出器を回動自在に支持する軸受である転がり軸受用保持器。
【請求項１３】
請求項１ないし請求項１０のいずれか１項において、上記転がり軸受が、ターンテーブル用の軸受である転がり軸受用保持器。
【請求項１４】
請求項１１記載の転がり軸受用保持器を用いたＣＴスキャナ用転がり軸受。
【請求項１５】
請求項１４記載のＣＴスキャナ用転がり軸受を環状のガントリの支持に用いたＣＴスキャナ用転がり軸受。
【発明の詳細な説明】
【技術分野】
【０００１】
この発明は、例えば、医療機器であるＣＴスキャナ、検査部としてのガントリ等に適用される転がり軸受用保持器およびＣＴスキャナ用転がり軸受に関する。
【背景技術】
【０００２】
医療機器分野は、高齢化社会を背景に着実に成長しており、その中でもＣＴスキャナは患者の診断や検査を効率的に行う画像装置として特に注目されている。
図２１に示すように、ＣＴスキャナ５０には検査部としてガントリがあり、画像撮影のためのＸ線管球、検出器等が回転部分５１に設置されている。ＣＴスキャナ・ガントリ用軸受５２の要求機能として、撮影時間の短縮を図る高速化、患者の不安を取り除く低騒音化の他、撮影機器の油分付着による不具合を未然に解消したり病院床等の汚れを防ぐグリース漏れ防止が重要視される。
【０００３】
ガントリの回転トルクロスや発熱を抑制するため、軌道輪に取付けられるシールは非接触シールを適用している。しかし、このＣＴスキャナ・ガントリ用軸受５２は超大形軸受のため、シール、シール溝間のすきまが大きく、軸受運転中にグリースが漏れ易い。そこで、軸受シール周辺の構造上、グリースの封入量を抑え、保持器にグリース溜まりを設けることで、グリース漏れを低減していた（特許文献１）。また、必要な場合、ＣＴスキャナのメンテナンス時に給脂、慣らし運転後、漏れたグリースを拭き取る作業を実施してきた。
【特許文献１】特開２００４−１６２８７９号公報
【発明の開示】
【発明が解決しようとする課題】
【０００４】
しかし、ＣＴスキャナ・ガントリ用軸受の高速化、高負荷化や、無給脂いわゆるメンテナンスフリーの要求に伴い、軸受信頼性向上のため、グリースはできるだけ多く封入したい。しかし、軸受の高速、高負荷化は保持器の挙動を大きくさせグリースが攪拌され、従来よりもグリースが漏れ易くなる。また、メンテナンスフリーとなるとその要求は一層厳しくなる。グリース漏れは、ＣＴスキャナ装置や病院床を汚すだけでなく、撮影機器に付着した場合、写真確認の際不具合を招く場合がある。
【０００５】
この発明の目的は、グリース漏れの低減を図り、軸受の信頼性向上を図ると共に、ＣＴスキャナ装置や病院床を汚さず、グリース飛散に起因する撮影機器の不具合を未然に防止することができる転がり軸受用保持器およびＣＴスキャナ用転がり軸受を提供することである。
【課題を解決するための手段】
【０００６】
この発明の転がり軸受用保持器は、環状体の一側面に一部が開放されて内部に転動体を保持するポケットを、上記環状体の円周方向複数箇所に有する冠形状の転がり軸受用保持器であって、内外のいずれか一方の軌道輪の両端にシールが固定される転がり軸受に設けられる転がり軸受用保持器において、上記環状体が、それぞれ上記ポケットを有する円弧状のセグメントを複数個連結したものであり、前記シールが固定される軌道輪とは反対側の保持器周面側のポケット開口縁から保持器半径方向へ延びる凹み部を、上記各ポケットの内面に設けたことを特徴とする。
【０００７】
この構成によると、シールが外輪固定の場合、凹み部により、転動体に付着しているグリースを保持器の内径面で掻き取る量が減少する。これにより、保持器背面側からのグリース漏洩を抑制し、内輪外径部へのグリース付着を防止することができる。シールが内輪固定の場合、凹み部により、転動体に付着しているグリースを保持器の外径面で掻き取る量が減少する。これにより、保持器背面側からのグリース漏洩を抑制し、外輪内径部へのグリース付着を防止することができる。
したがって、軌道輪のシール溝へのグリースの流動を防止できる。よって、非接触シールを適用した場合であってもグリース漏洩を抑制することができ、軸受の高速化を図ることができる。前記シール溝へのグリース流動防止効果により、軸受にグリースをより多く封入することが可能となる。換言すれば、軸受にグリースをより多く封入しても軌道輪のシール溝にグリースが流動せず、グリース漏れの低減を図ることができる。それ故、メンテナンスフリーを実現することが可能となる。このように、グリース漏れの低減を図り、軸受の信頼性向上を図ると共に、ＣＴスキャナ装置や病院床を汚さず、グリース飛散に起因する撮影機器の不具合を未然に防止することができる。
【０００８】
上記凹み部が、上記ポケットの開口縁における保持器円周方向の中心から両側に広がって１箇所に設けられたものであっても良い。この凹み部を砥石等により後加工する場合、一つの砥石により凹み部を迅速に加工し得る。この場合、複数箇所に凹み部を設けるよりも加工工数の低減を図ることができ、よって保持器の製造コストの低減を図ることができる。
【０００９】
上記凹み部が、上記ポケットの開口縁における保持器円周方向の中心の両側に位置して複数箇所に設けられても良い。この場合、保持器円周方向の中心から両側に広がって１箇所に設けられた凹み部を有する保持器よりも、保持器ポケット部断面積を大きくできる。それ故、前記１箇所に設けられた凹み部を有する保持器より、保持器強度を上げることが可能となる。
【００１０】
全周のポケットのうちの一部のポケットが凹み部を有し、残り一部のポケットは凹み部を有せず、かつ上記各セグメントは少なくとも一つのポケットに上記凹み部を有するものであっても良い。この場合、保持器を成形する金型の製作が容易化する。同金型の補修、メンテナンスも容易化する。よって、保持器の製作コストの低減を図ることができる。
転がり軸受用保持器は転動体案内形式であっても良い。
【００１１】
上記ポケットの内面における保持器回転方向に対面する側面部分に、保持器半径方向に延びる側部油溜り溝を設けても良い。この場合、グリースが側部油溜り溝に保持され、転動体とポケットの内面との潤滑に寄与する。
ポケットの底面に、軸方向に延びる底部油溜まり溝を設けた場合、グリースがこの底部油溜まり溝に保持されて潤滑に寄与するうえ、ポケットと転動体との滑り接触により発生する振動、騒音を抑制することができる。
【００１２】
ポケット間の柱部に、軸方向に延びるスリット状の溝を設けた場合、軸受運転中この溝にグリースが溜まり、グリース漏れ防止効果をさらに高めることができる。
転がり軸受用保持器は、複列アンギュラ玉軸受に用いられる保持器であっても良い。
転がり軸受用保持器は、複列または単列の４点接触玉軸受に用いられる保持器であっても良い。
上記転がり軸受が、ＣＴスキャナのガントリを支持する軸受、Ｘ線診断装置における、Ｘ線管装置およびＸ線検出器を回動自在に支持する軸受、またはターンテーブル用の軸受であっても良い。
【００１３】
請求項１１記載の転がり軸受用保持器を用いたＣＴスキャナ用転がり軸受であっても良い。このＣＴスキャナ用転がり軸受を環状のガントリの支持に用いたＣＴスキャナ用転がり軸受であっても良い。
【発明の効果】
【００１４】
この発明の転がり軸受用保持器は、環状体の一側面に一部が開放されて内部に転動体を保持するポケットを、上記環状体の円周方向複数箇所に有する冠形状の転がり軸受用保持器において、上記環状体が、それぞれ上記ポケットを有する円弧状のセグメントを複数個連結したものであり、上記各ポケットの内面に、軸受に設置されるシールが外輪へ固定であれば保持器内径側、シールが内輪へ固定であれば保持器外径側のポケット開口縁から保持器半径方向へ延びる凹み部を設けたため、グリース漏れの低減を図り、軸受の信頼性向上を図ると共に、ＣＴスキャナ装置や病院床を汚さず、グリース飛散に起因する撮影機器の不具合を未然に防止することができる。
【発明を実施するための最良の形態】
【００１５】
この発明の一実施形態を図１ないし図９と共に説明する。
この実施形態に係る転がり軸受用保持器は、例えば、ＣＴスキャナ・ガントリ用軸受に適用される。この軸受として、図１に示す組合せ複列アンギュラ玉軸受１が採用される。この複列アンギュラ玉軸受１は、アキシアル内部隙間の調整または予圧を与えることにより、アキシアル方向の動きを規制している。
図１に示すように、軸受１は、内輪２，２と、複列の軌道面３ａを有する外輪３と、シール４，４と、転動体５，５と、保持器６，６とを有する。各列の外輪３の軌道面３ａと内輪２の軌道面２ａとの間に、ボールから成る転動体５が転動自在に介在されている。保持器６は複数の転動体５を保持する。シール４は、この例では外輪３に設けられ内外輪２，３間の軸受空間を塞ぐ。シール４として例えば非接触シールが適用される。軸受空間Ｖ１にはグリースが封入されている。
【００１６】
保持器６について説明する。
図２、図３に示すように、この転がり軸受用保持器６はいわゆる冠形状の樹脂製保持器であり、環状体７の一側面に一部が開放されて内部に転動体５を保持するポケット８を、環状体７の円周方向複数箇所に有する。この保持器６は転動体案内形式である。前記環状体７が、それぞれ上記ポケット８を有する円弧状のセグメント９を複数個連結したものである。
図２、図４に示すように、各セグメント９の長手方向両端に、互いに嵌合可能な形状の結合部１０，１１が設けられている。これら結合部１０，１１は、円周方向に隣合うセグメント９を互いに結合するセグメント結合部である。隣合うセグメント９，９の対応する結合部１０，１１を結合することで、リング状の保持器６となる。
【００１７】
両端の結合部１０，１１のうち、一端の結合部１０は、結合部本体１０ａから円周方向に突出した嵌合突部１０ｂを有する。他端の結合部１１は、結合部本体１１ａの端面に、嵌合凹部１１ｂが形成されている。嵌合突部１０ｂは結合部本体１０ａから突出した首部に続いて、この首部よりも大きな頭部が形成されたものとされ、その頭部の形状は、保持器径方向に見て、例えば円形状とされている。嵌合凹部１１ｂは、嵌合突部１０ｂの全体が径方向に挿脱可能に嵌合する形状である。
【００１８】
図３に示すように、各セグメント９は、円弧状の保持器本体１２と、凸部１３とを有する。保持器本体１２の軸方向（Ｂ方向）の片面における各ポケット８の形成箇所に、上記転動体５を抱く一対の凸部１３,１３を有し、これら凸部１３の内面がポケット８の内面の一部を構成する。これら凸部１３,１３は、ボールの球面に沿う爪状のものとされている。
【００１９】
保持器本体１２の厚さは、図５に平面図で示すように、保持器本体１２における各ポケット８の周辺部分の径方向厚さＷ１に対して、保持器本体１２の一般部分の径方向厚さＷ２を薄くしてある。換言すれば、保持器本体１２における各ポケット８の周辺部分が、保持器本体１２の一般部分の径方向厚さＷ２よりも厚くなる厚肉部分１２ａに形成され、この厚肉部分１２ａによって保持器内面の必要な径方向幅が確保されている。保持器本体１２の一般部分は、保持器本体１２における各ポケット８の周辺部分を除く部分のことである。保持器本体１２の一般部分は、例えば、全周にわたり均一厚さとされている。図３に示すように、厚肉部分１２ａは、ポケット８の底部付近には設けられておらず、円周方向に対向する二箇所に別れて形成されている。厚肉部分１２ａは、上記凸部１３の先端からポケット８の開口縁に沿って延びていて、凸部１３の基端よりもポケット底部側へ続いている。
【００２０】
前記ポケット８の内面における保持器径方向（Ａ方向）の両側部は、転動体５が接する球面状の玉保持面１４,１４とされている。図３において、矢印Ａに付した「内」，「外」の文字は、保持器径方向Ａにおける内径側と外径側の向きをそれぞれ示す。この玉保持面１４は、転動体５の転動面と同心で、この転動面よりも僅かに大きな曲率半径とされている。
ポケット８の内面の径方向の中間部は、転動体５が非接触となる周方向逃がし面１５とされている。周方向逃がし面１５は、玉保持面１４に対して形成した周方向に延びる浅溝の底面となっている。具体的には、この周方向逃がし面１５は、転動体５の転動面と同心で、この転動面よりも僅かに大きな曲率半径を有する球面状の凹曲面とされ、または円筒面状の凹曲面とされている。ポケット８の両側の玉保持面１４における転動体５との接触可能性のある全ての縁部には、図６および図８に示すように面取り部１６が設けてある。
【００２１】
前記ポケット８の内面には、図９に示すように、保持器内径側のポケット開口縁から保持器半径方向つまり保持器外径側へ延びる凹み部１７が設けられている。この例では、図１に示すように、軸受１に設置されるシール４が外輪３に固定されているため、凹み部１７が、保持器内径側のポケット開口縁から保持器外径側へ延びるように設けられる。
前記凹み部１７により、転動体５に付着しているグリースを保持器６の内径面で掻き取る量が減少する。これにより、保持器背面側からのグリース漏洩を抑制し、内輪外径部へのグリース付着を防止し得る。
また、図１０（Ａ）、（Ｂ）に示すように，ポケット８，８間（円環部）の壁面ＨＢを除去すれば、より保持器内径面へのグリース付着を防止し得る。図１０（Ｂ）においては、除去した壁部ＨＢをハッチングにより表している。
【００２２】
この例では、図９に示すように、凹み部１７は、ポケット８の開口縁における保持器円周方向の中心ＯＷ8から両側に広がって１箇所に設けられる。この凹み部１７の内面の保持器円周方向に沿う断面形状（すなわち保持器中心軸に垂直な平面で断面した断面形状）を、ポケット８の内面となる凹球面の曲率半径Ｒａよりも小さな曲率半径ＲＣｂの円弧状としている。
凹み部１７の幅Ｗ17は、ポケット８の保持器円周方向の幅Ｗ8の略全体にわたる幅としている。凹み部１７の幅Ｗ17は、ポケット８の幅Ｗ8の半分よりも大きいことが好ましく、２／３以上、または３／４以上であることがより好ましい。
【００２３】
凹み部１７の内面形状は、同図９（Ｂ）に示すように、保持器６の半径方向の直線ＬＣを中心とする仮想円筒ＶＣの表面に略沿う円筒面状の形状である。上記仮想円筒ＶＣは、凹み部１７を加工する砥石の表面であっても良い。この凹み部１７は、保持器半径方向につき、保持器内径側の開口縁から玉配列ピッチ円ＰＣＤまで延びていて、保持器内径縁から玉配列ピッチ円ＰＣＤに至るに従って、徐々に小さく、つまり徐々に浅くかつ幅が狭くなる形状とされている。凹み部１７は、この実施形態では、丁度、玉配列ピッチ円ＰＣＤまで延びているが、玉配列ピッチ円ＰＣＤよりも保持器外径側まで若干延びていても、また玉配列ピッチ円ＰＣＤに若干達しないものであっても良い。
【００２４】
凹み部１７の深さは、ポケット内面の凹球面の中心Ｏ8から凹み部１７の最深位置までの距離ＲＣｃが、転動体５の半径の１．０５倍以上となる深さ（丁度１．０５倍であって良い）であることが好ましい。ポケット８の内面となる凹球面の曲率半径Ｒａは、転動体５の半径よりも僅かに大きくし、転動体５の半径の１．０５未満としている。
【００２５】
グリース付着状態の確認を行った試験結果について説明する。
この試験では、この発明の凹み部１７を設けた保持器を組み込んだ玉軸受と、一般的な冠形状の保持器を組み込んだ玉軸受とを、同一条件で運転して比較した。図１０は実施形態に係る凹み部１７を設けた保持器を組み込んだ玉軸受のグリース付着状態を示す。図１１は一般的な冠形状の保持器を組み込んだ玉軸受のグリース付着状態を示す。
この試験結果から、凹み部１７が形成されていない一般的な冠形状の保持器を組み込んだ玉軸受（図１２）では、保持器内径面と内輪の外径部との間にグリースが多量存在し、軸方向外方側つまり紙面手前方向の内輪シール溝に向かってグリースが漏れてきている。外輪にシール部材が装着されていれば、シール溝とシール先端との間にグリースが流動し、軸受内部の温度上昇とともに軸受外部へ漏洩することになる。
これに対して、凹み部１７を設けた保持器６を組み込んだ玉軸受（図１１）では、保持器６の内径部に極微量のグリース付着が認められるものの、内輪外径部には認められないことがわかる。
【００２６】
以上説明した構成によると、凹み部１７により、転動体５に付着しているグリースを保持器６の内径面で掻き取る量が減少する。これにより、保持器背面側からのグリース漏洩を抑制し、内輪外径部へのグリース付着を防止することができる。したがって、内輪２のシール溝へのグリース流動を防止できる。よって、この例のように非接触シールを適用した場合であってもグリース漏洩を抑制することができ、軸受１の高速化を図ることができる。前記シール溝へのグリース流動防止効果により、軸受１にグリースをより多く封入することが可能となる。
換言すれば、軸受１にグリースをより多く封入しても内輪２のシール溝にグリースが流動せず、グリース漏れの低減を図ることができる。それ故、メンテナンスフリーを実現することが可能となる。このように、グリース漏れの低減を図り、軸受の信頼性向上を図ると共に、ＣＴスキャナ装置や病院床を汚さず、グリース飛散に起因する撮影機器の不具合、誤診等を未然に防止することができる。この例の凹み部１７は、ポケット８の開口縁における保持器円周方向の中心から両側に広がって１箇所に設けられたものである。この凹み部１７を砥石等により後加工する場合、一つの砥石により凹み部１７を迅速に加工し得る。この場合、複数箇所に凹み部１７を設けるよりも加工工数の低減を図ることができ、よって保持器６の製造コストの低減を図ることができる。
【００２７】
次に、この発明の他の実施形態について説明する。
以下の説明においては、各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００２８】
図１３の例の保持器は、図９の実施形態に係る保持器において、ポケット８の内面に設ける１つの凹み部１７を、複数（この例では２つ）の凹み部１７に置き換えたものである。この例では、凹み部１７を、ポケット８の開口縁における保持器円周方向の中心ＯＷ8の両側に位置する２箇所としている。各凹み部１７の内面形状は、保持器円周方向に沿う断面形状が、ポケット８の内面となる凹球面の曲率半径Ｒａよりも小さな曲率半径Ｒｂの円弧状である。前記断面形状とは、凹み部１７を保持器中心軸に垂直な平面で断面した断面形状と同義である。詳しくは同図（Ｂ）に示すように、各凹み部１７の内面形状は、保持器６の半径方向の直線Ｌを中心とする各仮想円筒Ｖの表面に略沿う円筒面状の形状である。この凹み部１７は、保持器半径方向につき、保持器内径側のポケット開口縁から玉配列ピッチ円ＰＣＤの付近まで延びていて、保持器内径縁から玉配列ピッチ円ＰＣＤに近づくに従って徐々に小さく、つまり徐々に浅くかつ幅狭となる形状である。なお、玉配列ピッチ円ＰＣＤはポケットＰＣＤとも呼ぶ。
【００２９】
２個の凹み部１７の位置は、例えば、ポケット８の開口縁における保持器円周方向の中心ＯＷ8に対する周方向の配向角度を４０°±１５°とした対称な２箇所である。凹み部１７の深さは、ポケット内面の凹球面の中心Ｏ8から凹み部１７の最深位置までの距離Ｒｃが、転動体５の半径の１．０５倍以上となる深さであることが好ましい（丁度１．０５倍であって良い）。
前記凹み部１７が、ポケット８の開口縁における保持器円周方向の中心ＯＷ8の両側に位置して複数箇所に設けられた場合、保持器円周方向の中心ＯＷ8から両側に広がって１箇所に設けられた凹み部１７を有する保持器よりも、保持器ポケット部断面積を大きくできる。それ故、前記１箇所に設けられた凹み部１７を有する保持器より、保持器強度を上げることが可能となる。その他凹み部１７により、保持器６の内径面で掻き取るグリース量減少→内輪外径部へのグリース付着防止→内輪シール溝へのグリース流動防止効果を得ることができる。また、図１４（Ａ）、（Ｂ）に示すように，ポケット８，８間（円環部）の壁面ＨＢを除去すれば，より保持器内径面へのグリース付着を防止し得る。図１４（Ｂ）においては、除去した壁部ＨＢをハッチングにより表している。
なお、この実施形態では凹み部１７を２箇所としたが、３箇所以上としても良い。
【００３０】
図１５の例の保持器は、ポケット８の内面における保持器回転方向に対面する側面部分に、保持器半径方向に延びる側部油溜り溝１８を設けたものである。つまりポケット８の内面において、保持器回転方向すなわち保持器円周方向に対して交差する方向となる一部分には、保持器本体１２の径方向（Ａ方向）に延びる凹溝状の油溜りである側部油溜り溝１８が設けられている。この側部油溜り溝１８は、例えば、転動体５の配列のピッチ円と略一致する保持器軸方向位置の軸方向両側に跨るように設けられる。
図１６は、その側部油溜り溝１８の部分で断面して示す保持器の部分断面図である。この側部油溜り溝１８は、ポケット８内に転動自在に保持される転動体５の転動面と同心で、玉保持面１４の曲面よりも僅かに大きな曲率半径を有する曲面状の凹曲面か、または円筒面状若しくは四角筒面状等の凹面とされる。図示の例では、側部油溜り溝１８は底面が円筒面状とされ、かつ保持器を径方向に見て、図１７のように開口側が広がり底面側が狭まる台形状となっている。
図１５〜図１７の構成によると、グリースが側部油溜り溝１８に保持され、転動体５とポケット８の内面との潤滑に寄与する。
【００３１】
また図１５〜図１７の例の保持器は、ポケット８の底面に、軸方向に延びる底部油溜まり溝１９を設けたものである。ポケット８の内面において、凸部１３，１３で挟まれる軸方向開口８ａ（図１７）とは反対側の部分である底部には、凹溝状の底部油溜まり溝１９が設けられている。この底部油溜まり溝１９は、保持器径方向（Ａ方向）に延びる形状となっている。この底部油溜まり溝１９は、転動体５がポケット８の最下部にある状態で、転動体５と接する面となる深さを最低限有するものとされるが、さらにそれ以上に転動体５が接触しない方向へ深く形成しても良い。
底部油溜まり溝１９は、この深さ条件を満たしたうえで、円筒面状、四角筒面状、または転動体５の転動面と同心で周方向逃がし溝１５の曲面よりも僅かに大きな曲率半径を有する球面状の凹曲面としても良い。
この構成によると、グリースが底部油溜まり溝１９に保持されて潤滑に寄与するうえ、ポケット８と転動体５との滑り接触により発生する振動、騒音を抑制することができる。
【００３２】
図１８の例の保持器は、ポケット８，８間の柱部２０に、軸方向（Ｂ方向）に延びるスリット状の溝２０ａを設けたものである。この場合、軸受運転中、溝２０ａにグリースが溜まり、グリース漏れ防止効果をさらに高めることができる。
図１９に示すように、本実施形態の保持器６を単列の４点接触玉軸受に設けても良い。また保持器６を複列の４点接触玉軸受に設けても良い。
転がり軸受が、Ｘ線診断装置における、Ｘ線管装置およびＸ線検出器を回動自在に支持する軸受、またはターンテーブル用の軸受であっても良い。
【００３３】
図２０に示すように、シール４が内輪に固定される場合には、保持器６の凹み部１７は保持器外径側のポケット開口縁から保持器内径側へ延びるように設けられる。この場合、凹み部１７により、転動体５付着のグリースを保持器６の外径面で掻き取る量が減少→外輪内径部へのグリース付着防止→外輪シール溝へのグリース流動防止効果を得ることができる。
全周のポケット８のうちの一部のポケット８が凹み部１７を有し、残り一部のポケット８は凹み部１７を有せず、かつ上記各セグメント９は少なくとも一つのポケット８に上記凹み部１７を有するものであっても良い。この場合、保持器６を成形する金型の製作が容易化する。同金型の補修、メンテナンスも容易化する。よって、保持器６の製作コストの低減を図ることができる。
【図面の簡単な説明】
【００３４】
【図１】この発明の一実施形態に係る転がり軸受の断面図である。
【図２】（Ａ）は同転がり軸受用保持器の平面図、（Ｂ）は同転がり軸受用保持器を保持器内径側から見た正面図である。
【図３】同転がり軸受用保持器の一部を示す斜視図である。
【図４】（Ａ）は同転がり軸受用保持器の要部の拡大正面図、（Ｂ）は同図（Ａ）のｂ−ｂ矢視断面図、（Ｃ）は同図（Ａ）の右側面図、（Ｄ）は同図（Ａ）の平面図である。
【図５】同転がり軸受用保持器の一部を保持器軸方向から見た平面図である。
【図６】図５の一部の拡大平面図である。
【図７】同転がり軸受用保持器の要部の水平断面図である。
【図８】同転がり軸受用保持器の一部を保持器径方向から見た正面図である。
【図９】（Ａ）は同転がり軸受用保持器のポケットの部分拡大斜視図、（Ｂ）は同斜視図に仮想円筒を加えた状態を示す斜視図である。
【図１０】（Ａ）は同転がり軸受用保持器のポケット間の壁部を除去した形態を表す斜視図、（Ｂ）は同壁部を除去した他の形態を表す斜視図である。
【図１１】（Ａ）は凹み部を設けた保持器を組み込んだ玉軸受のグリース漏れ試験の結果の説明図、（Ｂ）は（Ａ）の部分拡大図である。
【図１２】（Ａ）は一般的な冠形状の保持器を組み込んだ玉軸受のグリース漏れ試験の結果の説明図、（Ｂ）は（Ａ）の部分拡大図である。
【図１３】（Ａ）はこの発明の転がり軸受用保持器の他の一例の部分拡大斜視図、（Ｂ）は同斜視図に仮想円筒を加えた状態を示す斜視図である。
【図１４】（Ａ）は同転がり軸受用保持器のポケット間の壁部を除去した形態を表す斜視図、（Ｂ）は同壁部を除去した他の形態を表す斜視図である。
【図１５】この発明のさらに他の例の転がり軸受用保持器の一部を示す斜視図である。
【図１６】同転がり軸受用保持器の要部の水平断面図である。
【図１７】同転がり軸受用保持器の一部を保持器径方向から見た正面図である。
【図１８】この発明のさらに他の例の転がり軸受用保持器を保持器内径側から見た正面図である。
【図１９】この発明のさらに他の実施形態に係る転がり軸受の断面図である。
【図２０】この発明のさらに他の実施形態に係る転がり軸受の断面図である。
【図２１】ＣＴスキャナの概略構造を示す断面図である。
【符号の説明】
【００３５】
１…玉軸受
２…内輪
３…外輪
４…シール
５…転動体
６…保持器
７…環状体
８…ポケット
９…セグメント
１７…凹み部
１８…側部油溜り溝
１９…底部油溜まり溝
２０ａ…スリット状の溝
【図１】
2010091091.tif 000003
【図２】
2010091091.tif 000004
【図３】
2010091091.tif 000005
【図４】
2010091091.tif 000006
【図５】
2010091091.tif 000007
【図６】
2010091091.tif 000008
【図７】
2010091091.tif 000009
【図８】
2010091091.tif 000010
【図９】
2010091091.tif 000011
【図１０】
2010091091.tif 000012
【図１１】
2010091091.tif 000013
【図１２】
2010091091.tif 000014
【図１３】
2010091091.tif 000015
【図１４】
2010091091.tif 000016
【図１５】
2010091091.tif 000017
【図１６】
2010091091.tif 000018
【図１７】
2010091091.tif 000019
【図１８】
2010091091.tif 000020
【図１９】
2010091091.tif 000021
【図２０】
2010091091.tif 000022
【図２１】
2010091091.tif 000023